(57)【要約】      （修正有）【課題】光コヒーレンストモグラフィ（ＯＣＴ）血管造影により取得されたデータの新たな利用方法が可能な、眼科装置、眼科画像処理方法、プログラム、及び記録媒体を提供する。【解決手段】眼科装置は、記憶部２０と、差分処理部４２とを含む。記憶部は、被検眼の眼底にＯＣＴ血管造影を複数回適用して取得された複数の血管造影画像データを記憶する。差分処理部は、記憶部からそれぞれ読み出された第１血管造影画像データと第２血管造影画像データとの間の差分データを生成する。【選択図】図１
2019058495.tif 000002
【特許請求の範囲】
【請求項１】
被検眼の眼底に光コヒーレンストモグラフィ（ＯＣＴ）血管造影を複数回適用して取得された複数の血管造影画像データを記憶する記憶部と、
前記記憶部からそれぞれ読み出された第１血管造影画像データと第２血管造影画像データとの間の差分データを生成する差分処理部と
を含む眼科装置。
【請求項２】
前記第１血管造影画像データと前記第２血管造影画像データとの間のレジストレーションを実行するレジストレーション処理部を更に含み、
前記差分処理部は、前記レジストレーションが適用された前記第１血管造影画像データ及び前記第２血管造影画像データから前記差分データを生成する
ことを特徴とする請求項１に記載の眼科装置。
【請求項３】
前記差分処理部により生成された前記差分データに基づいて、前記眼底における血流の変化を表す血流変化情報を生成する第１情報生成処理部を更に含む
ことを特徴とする請求項１又は２に記載の眼科装置。
【請求項４】
前記差分処理部により生成された前記差分データに基づいて、前記眼底における血管径の変化を表す血管径変化情報を生成する第２情報生成処理部を更に含む
ことを特徴とする請求項１〜３のいずれかに記載の眼科装置。
【請求項５】
前記眼底にＯＣＴ血管造影を適用してデータを収集するデータ収集部と、
前記データ収集部により収集された前記データを処理して血管造影画像データを形成するデータ処理部と
を更に含み、
前記記憶部は、前記データ処理部により形成された前記血管造影画像データを記憶する
ことを特徴とする請求項１〜４のいずれかに記載の眼科装置。
【請求項６】
前記眼底の観察画像をユーザに提供する観察系と、
前記眼底に治療用レーザ光を照射する照射系と、
前記治療用レーザ光の照射目標位置を示す照射目標位置画像と前記差分処理部により生成された前記差分データに基づき形成された差分画像とを表示装置に表示させる表示制御部と
を更に含み、
前記照射目標位置画像と前記差分画像とを前記観察画像とともにユーザに提供する
ことを特徴とする請求項１〜５のいずれかに記載の眼科装置。
【請求項７】
被検眼の眼底に光コヒーレンストモグラフィ（ＯＣＴ）血管造影を複数回適用して取得された複数の血管造影画像データを記憶し、
前記複数の血管造影データのうちの第１血管造影画像データと第２血管造影画像データとの間の差分データを生成する
眼科画像処理方法。
【請求項８】
請求項７に記載の眼科画像処理方法をコンピュータに実行させるプログラム。
【請求項９】
請求項８に記載のプログラムを記録したコンピュータ可読な非一時的記録媒体。
【発明の詳細な説明】
【技術分野】
【０００１】
この発明は、眼科装置、眼科画像処理方法、プログラム、及び記録媒体に関する。
【背景技術】
【０００２】
眼科分野において画像診断は重要な位置を占める。近年では光コヒーレンストモグラフィ（Ｏｐｔｉｃａｌ  Ｃｏｈｅｒｅｎｃｅ  Ｔｏｍｏｇｒａｐｈｙ：ＯＣＴ）の活用が進んでいる。ＯＣＴは、被検眼のＢスキャン画像や３次元画像の取得だけでなく、Ｃスキャン画像やシャドウグラムなどの正面画像（ｅｎ−ｆａｃｅ画像）の取得にも利用されるようになってきている。また、被検眼の特定部位を強調した画像を取得することや、機能情報を取得することも行われている。
【０００３】
例えば、ＯＣＴにより収集された時系列ボリュームデータに基づいて、眼底血管（網膜血管、脈絡膜血管）が強調されたＢスキャン画像や正面画像（血管造影画像、アンジオグラム、モーションコントラスト画像）を構築することができる。この手法は、ＯＣＴ血管造影（ＯＣＴＡ）と呼ばれる。
【先行技術文献】
【特許文献】
【０００４】
【特許文献１】特表２０１５−５１５８９４号公報
【発明の概要】
【発明が解決しようとする課題】
【０００５】
この発明の目的は、ＯＣＴ血管造影により取得されたデータの新たな利用方法を提供することにある。
【課題を解決するための手段】
【０００６】
実施形態の第１の態様は、被検眼の眼底に光コヒーレンストモグラフィ（ＯＣＴ）血管造影を複数回適用して取得された複数の血管造影画像データを記憶する記憶部と、前記記憶部からそれぞれ読み出された第１血管造影画像データと第２血管造影画像データとの間の差分データを生成する差分処理部とを含む眼科装置である。
【０００７】
実施形態の第２の態様は、第１の態様の眼科装置であって、前記第１血管造影画像データと前記第２血管造影画像データとの間のレジストレーションを実行するレジストレーション処理部を更に含み、前記差分処理部は、前記レジストレーションが適用された前記第１血管造影画像データ及び前記第２血管造影画像データから前記差分データを生成する。
【０００８】
実施形態の第３の態様は、第１又は第２の態様の眼科装置であって、前記差分処理部により生成された前記差分データに基づいて、前記眼底における血流の変化を表す血流変化情報を生成する第１情報生成処理部を更に含む。
【０００９】
実施形態の第４の態様は、第１〜第３の態様のいずれかの眼科装置であって、前記差分処理部により生成された前記差分データに基づいて、前記眼底における血管径の変化を表す血管径変化情報を生成する第２情報生成処理部を更に含む。
【００１０】
実施形態の第５の態様は、第１〜第４の態様のいずれかの眼科装置であって、前記眼底にＯＣＴ血管造影を適用してデータを収集するデータ収集部と、前記データ収集部により収集された前記データを処理して血管造影画像データを形成するデータ処理部とを更に含み、前記記憶部は、前記データ処理部により形成された前記血管造影画像データを記憶する。
【００１１】
実施形態の第６の態様は、第１〜第５の態様のいずれかの眼科装置であって、前記眼底の観察画像をユーザに提供する観察系と、前記眼底に治療用レーザ光を照射する照射系と、前記治療用レーザ光の照射目標位置を示す照射目標位置画像と前記差分処理部により生成された前記差分データに基づき形成された差分画像とを表示装置に表示させる表示制御部とを含み、前記照射目標位置画像と前記差分画像とを前記観察画像とともにユーザに提供する。
【００１２】
実施形態の第７の態様は、被検眼の眼底に光コヒーレンストモグラフィ（ＯＣＴ）血管造影を複数回適用して取得された複数の血管造影画像データを記憶し、前記複数の血管造影データのうちの第１血管造影画像データと第２血管造影画像データとの間の差分データを生成する眼科画像処理方法である。
【００１３】
実施形態の第８の態様は、第７の態様の眼科画像処理方法をコンピュータに実行させるプログラムである。
【００１４】
実施形態の第９の態様は、第８の態様のプログラムを記録したコンピュータ可読な非一時的記録媒体である。
【発明の効果】
【００１５】
実施形態によれば、ＯＣＴ血管造影により取得されたデータの新たな利用方法を提供することが可能である。
【図面の簡単な説明】
【００１６】
【図１】例示的な実施形態に係る眼科装置の構成の一例を表す概略図である。
【図２】例示的な実施形態に係る眼科装置の動作の一例を表すフローチャートである。
【図３】例示的な実施形態に係る眼科装置の構成の一例を表す概略図である。
【図４Ａ】例示的な実施形態に係る眼科装置の動作の一例を説明するための概略図である。
【図４Ｂ】例示的な実施形態に係る眼科装置の動作の一例を説明するための概略図である。
【図５】例示的な実施形態に係る眼科装置の構成の一例を表す概略図である。
【発明を実施するための形態】
【００１７】
図面を参照しながら例示的な実施形態を説明する。なお、この明細書で引用する文献に記載された事項や任意の公知技術を実施形態に援用することができる。
【００１８】
例示的な実施形態に係る眼科装置、眼科画像処理方法、プログラム、及び記録媒体について以下に説明する。例示的な眼科画像処理方法は、例示的な眼科装置によって実現可能である。また、例示的な眼科画像処理方法は、例示的なプログラムにしたがって実行可能である。
【００１９】
例示的な眼科装置は、単一の装置（例えば、記憶装置が搭載されたコンピュータ）であってもよいし、相互に通信が可能な２以上の装置（例えば、１以上のコンピュータ、１以上の記憶装置など）を含んでいてもよい。
【００２０】
例示的な眼科装置は、被検眼を撮影する機能、被検眼の特性を測定する機能、及び、被検眼を治療するための機能のうちのいずれか１以上の機能を備えていてよい。撮影機能を有する眼科装置の例として、ＯＣＴ装置、眼底カメラ、走査型レーザ検眼鏡、スリットランプ顕微鏡、手術用顕微鏡などがある。測定機能を有する眼科装置の例として、レフラクトメーター、ケラトメーター、眼圧計、ウェーブフロントアナライザー、スペキュラーマイクロスコープ、視野計などがある。治療に用いられる眼科装置の例として、レーザ治療装置、白内障手術装置などがある。
【００２１】
例示的な眼科画像処理方法を実現するためのハードウェア及びソフトウェアは、以下に例示する眼科装置には限定されず、その実現に寄与する任意のハードウェアと任意のソフトウェアとの組み合わせを含んでいてよい。このソフトウェアは、例示的なプログラムを含んでいる。
【００２２】
例示的なプログラムは、例示的な眼科装置等に含まれるコンピュータに、例示的な眼科画像処理方法を実行させる。また、例示的な記録媒体は、コンピュータ読み取り可能な記録媒体であって、例示的なプログラムを記録する。例示的な記録媒体は、非一時的な（non-transitory）記録媒体である。例示的な記録媒体は、磁気、光、光磁気、半導体などを利用した電子媒体であってよい。典型的には、例示的な記録媒体は、磁気テープ、磁気ディスク、光ディスク、光磁気ディスク、フラッシュメモリ、ソリッドステートドライブなどである。
【００２３】
〈第１実施形態〉
第１実施形態に係る眼科装置について説明する。図１に示す眼科装置１は、被検眼の眼底の画像を含む各種情報を表示デバイス２に表示させることができる。表示デバイス２は眼科装置１の一部であってもよいし、眼科装置１に接続された外部装置であってもよい。
【００２４】
眼科装置１は、制御部１０と、記憶部２０と、データ入出力部３０と、データ処理部４０と、操作部５０とを含む。
【００２５】
（制御部１０）
制御部１０は、眼科装置１の各部を制御する。制御部１０はプロセッサを含む。なお、本明細書において「プロセッサ」は、例えば、ＣＰＵ（Ｃｅｎｔｒａｌ  Ｐｒｏｃｅｓｓｉｎｇ  Ｕｎｉｔ）、ＧＰＵ（Ｇｒａｐｈｉｃｓ  Ｐｒｏｃｅｓｓｉｎｇ  Ｕｎｉｔ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、プログラマブル論理デバイス（例えば、ＳＰＬＤ（Ｓｉｍｐｌｅ  Ｐｒｏｇｒａｍｍａｂｌｅ  Ｌｏｇｉｃ  Ｄｅｖｉｃｅ）、ＣＰＬＤ（Ｃｏｍｐｌｅｘ  Ｐｒｏｇｒａｍｍａｂｌｅ  Ｌｏｇｉｃ  Ｄｅｖｉｃｅ）、ＦＰＧＡ（Ｆｉｅｌｄ  Ｐｒｏｇｒａｍｍａｂｌｅ  Ｇａｔｅ  Ａｒｒａｙ））等の回路を意味する。制御部１０は、例えば、記憶回路や記憶装置（記憶部２０等）に格納されているプログラムを読み出し実行することで、実施形態に係る機能を実現する。
【００２６】
制御部１０は表示制御部１１を含む。表示制御部１１は、表示デバイス２に情報を表示させるための処理を実行する。
【００２７】
（記憶部２０）
記憶部２０には各種情報が記憶される。本例において、記憶部２０は、被検眼の眼底にＯＣＴ血管造影を複数回適用して取得された複数の血管造影画像データを記憶する。記憶部２０は、ハードディスクドライブ等の記憶装置を含む。
【００２８】
典型的な例において、複数の血管造影画像データは、経過観察、術前術後比較、投与薬剤の効果の確認、健康診断、検診などにおいて取得される。例えば、複数の血管造影画像データは、経過観察において異なる複数の日に取得されたデータ群を含んでいてよい。また、複数の血管造影画像データは、手術やレーザ治療の前に取得されたデータと、その後に取得されたデータとを含んでいてよい。
【００２９】
図示は省略するが、典型的な実施形態において、記憶部２０には、表示デバイス２にＧＵＩとして表示される画面やダイアログやアイコン等のテンプレートが記憶される。また、記憶部２０には、データ処理を行うために実行されるプログラムや、ＧＵＩに関する制御を行うために実行されるプログラムが記憶される。このようなプログラムを含むソフトウェアと、プロセッサを含むハードウェアとが協働することによって、この実施形態に係る処理が実現される。
【００３０】
（データ入出力部３０）
データ入出力部３０は、眼科装置１へのデータの入力と、眼科装置１からのデータの出力とを実行する。データ入出力部３０は、例えば、ローカルエリアネットワーク（ＬＡＮ）、インターネット、専用線等の通信回線を介してデータの送受信を行うための通信デバイスを含んでいてよい。また、データ入出力部３０は、記録媒体からのデータの読み取りと、記録媒体へのデータの書き込みとを行うためのリーダライタを含んでいてよい。また、データ入出力部３０は、印刷媒体等に記録された情報を読み取るスキャナや、紙媒体に情報を記録するプリンタなどを含んでいてよい。
【００３１】
（データ処理部４０）
データ処理部４０は、プロセッサを含み、各種のデータ処理を実行する。例えば、データ処理部４０は、眼科画像データに対して画像処理を施す。データ処理部４０は、レジストレーション処理部４１と、差分処理部４２と、情報生成処理部４３とを含む。
【００３２】
（レジストレーション処理部４１）
レジストレーション処理部４１は、記憶部２０に記憶されている複数の血管造影画像データのうちの第１血管造影画像データと第２血管造影画像データとの間のレジストレーションを行う。本例において、血管造影画像データは、典型的には、３次元血管造影画像データ又はそのレンダリング画像データである。
【００３３】
レジストレーションとは、異なる２以上の画像の間の位置合わせ（画像マッチング）である。本実施形態では、任意のレジストレーション手法が適用される。例えば、特徴ベースのレジストレーション手法、又は、領域ベースのレジストレーション手法が適用される。特徴ベースの手法では、画像から特徴点（例えば、エッジ、コーナー）を抽出し、その周囲の情報から特徴量を算出することにより、画像間のレジストレーションを行う。領域ベースの手法では、探索目標となる領域のテンプレートを用意し、このテンプレートと画像との比較によって、画像間のレジストレーションを行う。
【００３４】
２次元画像データ（例えば、レンダリング画像データ）と３次元データ（例えば、３次元血管造影画像データ）との間のレジストレーションが行われる場合、一方又は双方の画像データに前処理を施すことができる。例えば、３次元血管造影画像データをレンダリングして２次元血管造影画像データ（例えば、プロジェクション画像データ、シャドウグラムデータ、Ｃスキャン画像データ）を作成し、この２次元血管造影画像データと２次元画像データとの間のレジストレーションを実行することができる。
【００３５】
なお、第１血管造影画像データと第２血管造影画像データとの間のレジストレーションが他の装置により既に行われた場合や、第１血管造影画像データの取得時及び第２血管造影画像データの取得時に被検眼の固視が好適に行なわれた場合や、第１血管造影画像データ及び第２血管造影画像データの一方を基準として他方が取得された場合や、第１血管造影画像データの撮像エリアと第２血管造影画像データの撮像エリアとがトリミングなどの画像処理を利用して一致された場合などには、レジストレーションを行うことなく差分処理を実行してもよい。
【００３６】
（差分処理部４２）
差分処理部４２は、第１血管造影画像データと第２血管造影画像データとの間の差分データを生成する。
【００３７】
差分データを生成する処理は、例えば、第１血管造影画像データの各画素の値（輝度値）と、この画素に対応する第２血管造影画像データの画素の値（輝度値）との間の差を算出する処理を含む。
【００３８】
輝度値の差を算出する処理は、輝度値の差の値の正負を考慮してもよいし、或いは、輝度値の差の絶対値を求める処理を含んでもよい。
【００３９】
輝度値の差の値の正負を考慮する場合、差分データ（画像データ）の全ての画素が、差が正値である画素と、差が負値である画素と、差がゼロである画素とに分類される。第１血管造影画像データの後に第２血管造影画像データが取得された場合において、第２血管造影画像データから第１血管造影画像データを減算した場合、原理的には、差が正値である画素は血流が経時的に増加した位置に相当し、差が負値である画素は血流が経時的に減少した位置に相当し、差がゼロである画素は血流が経時的に不変な位置又は血管でない位置に相当する。
【００４０】
輝度値の差の絶対値を求める場合、差分データの全ての画素が、差が非ゼロ（正値）である画素と、差がゼロである画素とに分類される。第１血管造影画像データの後に第２血管造影画像データが取得された場合において、第２血管造影画像データから第１血管造影画像データを減算した場合、原理的には、差が非ゼロである画素は血流が経時的に変化した位置に相当し、差がゼロである画素は血流が経時的に不変な位置又は血管でない位置に相当する。
【００４１】
（情報生成処理部４３）
情報生成処理部４３は、差分処理部４２により生成された差分データに基づいて医療情報を生成する。生成される医療情報は、典型的には、被検眼の診断のために参照可能な情報である。
【００４２】
一例において、情報生成処理部４３は、差分処理部４２により生成された差分データに基づいて、被検眼の眼底における血流の変化を表す情報（血流変化情報）を生成することができる。血流変化情報の典型的な例として、差分データの各画素の値を色で表現したマップ（血流変化マップ）がある。
【００４３】
血流変化マップにおいて、差分データの画素値の正負に応じて異なる色を割り当ててもよい。また、血流変化マップにおいて、画素値の大きさの変化を段階的又は連続的に表現してもよい
【００４４】
このような血流変化マップによれば、血流量や血流速度など任意の血流パラメータの経時的変化を表現することができる。例えば、血流変化マップは、血流が停止したこと、血流が開始したこと、血流が減少したこと、血流が増加したことなどを表現することが可能である。
【００４５】
なお、第１血管造影画像データ及び第２血管造影画像データのそれぞれから血流パラメータマップを求め、対応する画素位置における血流パラメータの差を算出することによって、血流変化マップを作成することも可能である。
【００４６】
他の例において、情報生成処理部４３は、差分処理部４２により生成された差分データに基づいて、被検眼の眼底における血管径の変化を表す情報（血管径変化情報）を生成することができる。
【００４７】
血管径の算出は、例えば、血管画像の細線化によって血管軸線を求める処理と、血管軸線に直交する方向における血管の幅（血管径）を画素数に基づき算出する処理とを含む。
【００４８】
ＯＣＴ血管造影の原理から、血管径変化情報は、血管の内径の変化を表す。血管径変化情報の典型的な例として、血管径の変化の大きさを色で表現したマップ（血管径変化マップ）がある。
【００４９】
血管径変化マップにおいて、血管径が増加した箇所と減少した箇所と不変な箇所とにそれぞれ異なる色を割り当ててもよい。また、血管径変化マップにおいて、血管径の大きさの変化を段階的又は連続的に表現してもよい。
【００５０】
なお、第１血管造影画像データ及び第２血管造影画像データのそれぞれから血管径を求め、対応する画素位置における血管径の差を算出することによって、血管径変化マップを作成することも可能である。
【００５１】
情報生成処理部４３により生成可能な情報は上記の例には限定されず、差分データを処理して導出可能な任意の情報、又は、２以上の血管造影画像データを処理して導出可能な任意の情報であってよい。
【００５２】
データ処理部４０により実行可能な他の処理について説明する。データ処理部４０は、３次元コンピュータグラフィクス（３ＤＣＧ）などのレンダリング処理を実行することができる。
【００５３】
例えば、被検眼の３次元データセット（ボリュームデータ、スタックデータ等）が眼科装置１に入力された場合、データ処理部４０は、この３次元データセットに各種のレンダリングを施すことで、Ｂスキャン画像（縦断面像、軸方向断面像）、Ｃスキャン画像（横断面像、水平断面像）、プロジェクション画像、シャドウグラムなどを形成することができる。Ｂスキャン画像やＣスキャン画像のような任意断面の画像は、例えば、指定された断面上の画素（ピクセル、ボクセル）を３次元データセットから選択することにより形成される。また、３次元データセットの任意のスライスから任意断面の画像を形成することができる。プロジェクション画像は、３次元データセットを所定方向（Ｚ方向、深さ方向、軸方向）に投影することによって形成される。シャドウグラムは、３次元データセットの一部（例えば特定層に相当する部分データ）を所定方向に投影することによって形成される。Ｃスキャン画像、プロジェクション画像、シャドウグラムのような、被検眼の正面側を視点とする画像は正面画像と呼ばれる。
【００５４】
データ処理部４０は、レンダリングの他にも各種の画像処理を実行することが可能である。例えば、データ処理部４０は、特定の組織や組織境界を求めるためのセグメンテーションや、組織のサイズ（層厚、体積等）を求めるためのサイズ解析などを実行可能であってよい。セグメンテーションにより特定層（又は特定の層境界）が求められた場合、その特定層が平坦になるようにＢスキャン画像や正面画像を再構築することが可能である。そのような画像は平坦化画像と呼ばれる。
【００５５】
（操作部５０）
操作部５０は、眼科装置１に対してユーザが指示や情報を入力するために使用される。操作部５０は、コンピュータに用いられる公知の操作デバイスを含んでよい。例えば、操作部５０は、マウスやタッチパッドやトラックボール等のポインティングデバイスを含んでよい。また、操作部５０は、キーボードやペンタブレット、専用の操作パネルなどを含んでよい。
【００５６】
（血管造影画像データについて）
前述したように、眼科装置１は、血管造影画像データを処理する。血管造影画像データは、ＯＣＴスキャンにより取得された画像を解析することで血管に相当する画像領域（血管領域）を特定し、この血管領域の表現態様を変更することでそれを強調した画像である。血管領域の特定には、被検眼の実質的に同じ範囲を繰り返しＯＣＴスキャンして得られた複数の画像が用いられる。この実施形態においては、例えば、３次元血管造影画像データ、正面画像としての血管造影画像データ、２次元断層画像としての血管造影画像データなどが記憶部２０に記憶される。或いは、血管造影画像データを形成するための１以上の３次元データセットを記憶部２０に記憶させてもよい。この場合、眼科装置１（例えば、データ処理部４０）は、３次元データセットから血管造影画像データを形成するための公知のハードウェア及びソフトウェアを含む。
【００５７】
血管造影画像データを形成するための手法には幾つかの種類がある。そのための典型的な手法を説明する。なお、以下に説明する手法に含まれる複数のステップの一部又は全部をデータ処理部４０により行うことができる。また、以下に説明する手法に含まれる複数のステップの一部又は全部を他の装置（コンピュータ、眼科装置等）により行うことができる。
【００５８】
まず、被検眼の眼底の複数のＢスキャン断面のそれぞれを繰り返しスキャンすることにより、時系列に並んだ複数のＢスキャン画像をＢスキャン断面ごとに含む３次元データセットが構築される。実質的に同じＢスキャン断面を繰り返しスキャンするための手法として、固視やトラッキングがある。この段階の３次元データセットを記憶部２０に記憶することができる。
【００５９】
次に、複数のＢスキャン画像の位置合わせがＢスキャン断面ごとに実行される。この位置合わせは、例えば、公知の画像マッチング技術を用いて行われる。その典型例として、各Ｂスキャン画像における特徴領域の抽出と、抽出された複数の特徴領域の位置合わせによる複数のＢスキャン画像の位置合わせとを実行することができる。この段階の３次元データセットを記憶部２０に記憶することができる。
【００６０】
続いて、位置合わせされた複数のＢスキャン画像の間で変化している画像領域を特定する処理が行われる。この処理は、例えば、異なるＢスキャン画像の間の差分を求める処理を含む。各Ｂスキャン画像は、被検眼の形態を表す輝度画像データであり、血管以外の部位に相当する画像領域は実質的に不変であると考えられる。一方、干渉信号に寄与する後方散乱が血流によってランダムに変化することを考慮すると、位置合わせされた複数のＢスキャン画像の間で変化が生じた画像領域（例えば、差分がゼロでない画素、又は差分が所定閾値以上である画素）は血管領域であると推定することができる。この段階の３次元データセットを記憶部２０に記憶することができる。
【００６１】
このようにして特定された画像領域に、それが血管領域である旨を示す情報を割り当てることができる。換言すると、特定された画像領域の画素値を変更（加工）することができる。それにより、血管造影画像データが得られる。このような血管造影画像データを記憶部２０に記憶することができる。
【００６２】
［動作］
例示的な実施形態に係る眼科装置１の動作について説明する。眼科装置１の例示的な動作の流れを図２に示す。
【００６３】
（Ｓ１：複数の血管造影画像データを受け付ける）
眼科装置１は、データ入出力部３０により、経過観察などにおいて異なる日に取得された被検眼の眼底の複数の血管造影画像データを受け付ける。
【００６４】
ＯＣＴ血管造影における眼底のＯＣＴスキャンは、ＯＣＴ機能を有する眼科撮影装置を用いて実行される。ＯＣＴスキャンにより収集されたデータに基づく複数の血管造影画像データの構築は、眼科撮影装置又は他の装置により実行される。
【００６５】
構築された複数の血管造影画像データは、例えば、眼科装置１に直接的又は間接的に送られるか、或いは、画像アーカイビング装置に格納される。後者の場合、複数の血管造影画像データは、画像アーカイビング装置から眼科装置１に直接的又は間接的に送られる。眼科装置１は、眼科撮影装置又は画像アーカイビング装置などから送信された複数の血管造影画像データをデータ入出力部３０によって受け付ける。
【００６６】
（Ｓ２：複数の血管造影画像データを記憶する）
制御部１０は、ステップＳ１で受け付けられた複数の血管造影画像データを記憶部２０に格納する。
【００６７】
（Ｓ３：第１・第２血管造影画像データを読み出す）
制御部１０は、複数の血管造影画像データのうちの第１血管造影画像データ及び第２血管造影画像データを記憶部２０から読み出してデータ処理部４０に送る。
【００６８】
第１血管造影画像データ及び第２血管造影画像データの選択は、例えば、ユーザ又は眼科装置１により行われる。
【００６９】
ユーザが選択を行う場合、例えば、表示制御部１１は、複数の血管造影画像データのリスト、又は、複数の血管造影画像データのサムネイルを表示デバイス２に表示させる。或いは、表示制御部１１は、複数の血管造影画像データに基づく複数の血管造影画像を並べて又は切り替えて表示させる。ユーザは、表示された情報を参照しつつ、操作部５０を用いて所望の血管造影画像データを選択することができる。
【００７０】
眼科装置１が選択を行う場合、例えば、制御部１０は、複数の血管造影画像データに付帯された情報に基づいて第１血管造影画像データ及び第２血管造影画像データを選択することができる。典型的には、制御部１０は、複数の血管造影画像データに付帯された撮影日情報（血管造影画像データが取得された日）に基づいて第１血管造影画像データ及び第２血管造影画像データを選択することができる。例として、撮影日が連続する第１血管造影画像データ及び第２血管造影画像データを選択することや、基準となる撮影日（例えば、初回撮影日）に対応する血管造影画像データ（つまり、ベースラインとなる血管造影画像データ）と、最新の血管造影画像データとを選択することが可能である。
【００７１】
なお、血管造影画像データに付帯される情報は、例えば、血管造影画像データのＤＩＣＯＭタグに記録される。ＤＩＣＯＭとは、医用画像のフォーマット及び通信プロトコルを定義した標準規格である「Ｄｉｇｉｔａｌ  Ｉｍａｇｉｎｇ  ａｎｄ  ＣＯｍｍｕｎｉｃａｔｉｏｎｓ  ｉｎ  Ｍｅｄｉｃｉｎｅ」の略語である。ＤＩＣＯＭタグは、ＤＩＣＯＭファイル内に設けられたタグ情報である。
【００７２】
（Ｓ４：レジストレーションを適用する）
レジストレーション処理部４１は、ステップＳ３で読み出された第１血管造影画像データと第２血管造影画像データとの間のレジストレーションを実行する。
【００７３】
（Ｓ５：差分データを生成する）
差分処理部４２は、ステップＳ４でレジストレーションが適用された第１血管造影画像データ及び第２血管造影画像データから差分データを生成する。
【００７４】
（Ｓ６：血流変化マップを生成する）
情報生成処理部４３は、ステップＳ５で生成された差分データに基づいて医療情報を生成する。本例では、血流変化マップが生成される。
【００７５】
（Ｓ７：血流変化マップを表示する）
表示制御部１１は、ステップＳ６で生成された血流変化マップを表示デバイス２に表示させる。
【００７６】
〈第２実施形態〉
本実施形態に係る眼科装置は、被検眼の眼底に対して光コヒーレンストモグラフィ（ＯＣＴ）を適用するための構成を備える。特に、本実施形態に係る眼科装置は、ＯＣＴ血管造影を行うための制御及びデータ処理を行うことが可能である。ＯＣＴの手法は、例えば、スペクトラルドメインＯＣＴ又はスウェプトソースＯＣＴであってよい。
【００７７】
スペクトラルドメインＯＣＴは、広帯域の低コヒーレンス光源と分光器とを用いて、干渉光のスペクトルを空間分割で取得し、それをフーリエ変換することによってＯＣＴ画像データを形成する手法である。
【００７８】
スウェプトソースＯＣＴは、波長掃引光源（波長可変光源）と光検出器（バランスドフォトダイオード等）とを用いて、干渉光のスペクトルを時分割で取得し、それをフーリエ変換することによってＯＣＴ画像データを形成する手法である。
【００７９】
本実施形態に係る眼科装置の構成の例を図３に示す。図１に示す第１実施形態の構成と異なり、図３に示す眼科装置１００にはデータ収集部１１０と画像形成部１２０とが設けられている。画像形成部１２０は、データ処理部４０に設けられている。
【００８０】
データ収集部１１０は、眼底にＯＣＴ血管造影を適用してデータを収集する。画像形成部１２０は、データ収集部１１０により収集されたデータを処理して血管造影画像データを形成する。なお、データ収集部１１０は通常のＯＣＴスキャンを実行可能であり、画像形成部１２０は通常のＯＣＴ画像データを形成することが可能である。
【００８１】
ＯＣＴ血管造影は、典型的には、眼底の３次元領域にＯＣＴを適用して収集された時系列データに基づいてモーションコントラスト画像データ（３次元血管造影画像データ）を構築する技術である。
【００８２】
画像形成部１２０は、図示しない画像形成プロセッサを含む。画像形成部１２０は、データ収集部１１０により収集されたデータに基づいて、眼底の断面像データを形成する。この処理には、従来のＯＣＴと同様に、ノイズ除去（ノイズ低減）、フィルタ処理、高速フーリエ変換（ＦＦＴ）などの信号処理が含まれる。画像形成部１２０により形成される画像データは、スキャンラインに沿って配列された複数のＡライン（深さ方向に沿うスキャンライン）における反射強度プロファイルを画像化することにより形成された一群の画像データ（一群のＡスキャン像データ）を含むデータセットである。
【００８３】
ＯＣＴ血管造影が実施される場合、画像形成部１２０は、所定回数だけ繰り返し行われたスキャンにより収集されたデータに基づいて、モーションコントラスト画像を形成することができる。このモーションコントラスト画像は、眼底の血管が強調された血管造影画像（アンジオグラム）である。なお、モーションコントラスト画像とは、同一位置において異なる時間に取得された複数のデータ（画像）に基づき作成された画像であって、当該位置における運動を表現した画像である。
【００８４】
ここで、ＯＣＴ血管造影に適用可能なスキャンパターンの典型的な例を説明する。本例のＯＣＴ血管造影では３次元スキャン（ラスタースキャン）が適用される。３次元スキャンは、互いに平行に配列された複数のスキャンラインに沿ったスキャンである。複数のスキャンラインは予め順序付けられており、この順序でスキャンが適用される。本実施形態において適用可能な３次元スキャンの例を図４Ａ及び図４Ｂに示す。
【００８５】
図４Ｂに示すように、本例の３次元スキャンは３２０本のスキャンラインＬ１〜Ｌ３２０に対して実行される。１本のスキャンラインＬｉ（ｉ＝１〜３２０）に沿った１回のスキャンはＢスキャンと呼ばれる。１つのＢスキャンは３２０個のＡスキャンからなる（図４Ａを参照）。Ａスキャンは１つのＡラインに対するスキャンである。つまり、Ａスキャンは、ＯＣＴ測定光の入射方向（深さ方向、軸方向）に沿うＡラインに対するスキャンである。Ｂスキャンは、深さ方向に直交する面上のスキャンラインＬｉに沿って配列された３２０個のＡスキャンからなる。
【００８６】
本例の３次元スキャンでは、スキャンラインＬ１〜Ｌ３２０に対するＢスキャンを任意の順序で４回ずつ実行する。各スキャンラインＬｉに対する４回のＢスキャンはレペティションスキャンと呼ばれる。各スキャンラインＬｉに対する４回の繰り返し（レペティション）の順序は、任意である。例えば、４回のスキャンを連続的に行ってもよいし、４回のスキャンの間に他のスキャンラインに対するＢスキャンを行ってもよい。
【００８７】
スキャンラインＬ１〜Ｌ３２０は、これらの配列順序に応じて５本ずつの組に分類されている。この分類により得られる６４個の組のそれぞれはユニットと呼ばれ、各ユニットに対するスキャンをユニットスキャンと呼ぶ。ユニットスキャンは、５本のスキャンラインのそれぞれに対する４回のＢスキャン（レペティション）からなる。すなわち、ユニットスキャンは、２０回のＢスキャンからなる。
【００８８】
画像形成部１２０は、このようなスキャンパターンでデータ収集部１１０が収集したデータをスキャンラインＬｉ毎のデータセット（時系列データ）に分類する。ここで、データセットには、４回のレペティションに対応する４つのＢスキャンデータが含まれている。４つのＢスキャンデータのそれぞれは、スキャンラインＬｉに対する１回のＢスキャンで収集されたデータである。
【００８９】
更に、画像形成部１２０は、各スキャンラインＬｉに対応するデータセットに基づいて当該スキャンラインＬｉに対応するモーションコントラスト画像データを形成する。各スキャンラインＬｉに対応するモーションコントラスト画像データは、このスキャンラインＬｉを含むＢスキャン面（縦断面）を表す２次元血管造影画像データである。
【００９０】
モーションコントラスト画像データを形成する処理は、従来のＯＣＴ血管造影データの形成と同様にして実行される。前述したように、本例では、スキャンラインＬｉに対応するデータセットに４つのＢスキャンデータが含まれている。各Ｂスキャンデータは、スキャンラインＬｉに対する１回のＢスキャンで収集されたデータである。
【００９１】
まず、画像形成部１２０は、各Ｂスキャンデータに基づいて、通常のＯＣＴ画像データを形成する。このＯＣＴ画像データは、３２０個のＡスキャン像データからなるＢスキャン画像データである。それにより、スキャンラインＬｉに対応する４個のＢスキャン画像データが得られる。
【００９２】
次に、画像形成部１２０は、４個のＢスキャン画像データの間で変化している画像領域を特定する。この処理は、例えば、異なるＢスキャン画像データの間の差分を求める処理を含む。各Ｂスキャン画像データは、眼底の形態を表す輝度画像データ（強度画像データ）であり、血管以外の部位に相当する画像領域は実質的に不変であると考えられる。一方、干渉信号に寄与する後方散乱が血流によってランダムに変化することを考慮すると、４個のＢスキャン画像データの間で変化が生じた画像領域（例えば、差分がゼロでない画素、又は差分が所定閾値以上である画素）は血管領域であると推定することができる。
【００９３】
画像形成部１２０は、特定された血管領域内の画素に所定の画素値を付与する。この画素値は、例えば、比較的高い輝度値（表示時には明るく、白く表現される）や、疑似カラー値であってよい。なお、他の従来技術と同様に、ドップラーＯＣＴや画像処理を用いて血管領域を特定することも可能である。
【００９４】
このような処理により、３２０本のスキャンラインＬ１〜Ｌ３２０に対応する３２０個の２次元血管造影画像データが得られる。画像形成部１２０は、３２０本のスキャンラインＬ１〜Ｌ３２０の配列にしたがって３２０個の２次元血管造影画像データを配置する。この処理は、例えば、３２０本のスキャンラインＬ１〜Ｌ３２０の配列順序及び配列間隔（スペーシング）に合わせて、３２０個の２次元血管造影画像データを単一の３次元座標系に配置する（埋め込む）処理を含む。つまり、３２０本のスキャンラインＬ１〜Ｌ３２０の配列に応じた３２０個の２次元血管造影画像データのスタックデータを形成することができる。このスタックデータは、眼底の血管の３次元的な分布を表す画像データ（３次元血管造影画像データ）の例である。画像形成部１２０は、このスタックデータに補間処理等を施してボリュームデータ（ボクセルデータ）を形成することも可能である。
【００９５】
収集されたデータから血管造影画像データを形成する処理は上記の例には限定されず、任意の公知技術を用いて血管造影画像データを形成することが可能である。
【００９６】
画像形成部１２０は、ボリュームデータやスタックデータなどの３次元画像データを加工することができる。例えば、画像形成部１２０は、３次元画像データにレンダリングを適用することができる。レンダリングの手法としては、ボリュームレンダリング、最大値投影（ＭＩＰ）、最小値投影（ＭｉｎＩＰ）、サーフェスレンダリング、多断面再構成（ＭＰＲ）などがある。また、画像形成部１２０は、３次元画像データの少なくとも一部をＡライン方向（深さ方向）に投影することにより、プロジェクションデータやシャドウグラムデータを構築することができる。
【００９７】
画像形成部１２０は、任意の解析処理や画像処理を実行することができる。例えば、画像形成部１２０は、２次元断面像データ又は３次元画像データにセグメンテーションを適用することができる。セグメンテーションは、画像データ中の部分データを特定する処理である。本例では、眼底の所定組織に相当する画像領域を特定することができる。
【００９８】
ＯＣＴ血管造影において、画像形成部１２０は、３次元血管造影画像データから、任意の２次元血管造影画像データ及び／又は任意の擬似的３次元血管造影画像データを構築することが可能である。例えば、画像形成部１２０は、３次元血管造影画像データに多断面再構成を適用することにより、眼底の任意の断面を表す２次元血管造影画像データを構築することができる。
【００９９】
また、画像形成部１２０は、３次元血管造影画像データにセグメンテーションを適用して眼底の所定組織に相当する画像領域を特定し、特定された画像領域をＡスキャン方向に投影してシャドウグラムデータ（正面血管造影画像データ）を構築することができる。正面血管造影画像データの例として、眼底の任意の深さ領域（例えば、網膜浅部、網膜深部、脈絡膜毛細血管板、強膜など）に対応する正面画像や、眼底の所定組織（例えば、内境界膜、神経線維層、神経節細胞層、内網状層、内顆粒層、外網状層、外顆粒層、外境界膜、網膜色素上皮、ブルッフ膜、脈絡膜、脈絡膜強膜境界、強膜、これらのいずれかの一部、これらの少なくとも２以上の組み合わせなど）に対応する正面画像データがある。
【０１００】
記憶部２０は、画像形成部１２０により形成された血管造影画像データを記憶することができる。また、記憶部２０は、画像形成部１２０により形成された血管造影画像データをレンダリングして構築された画像データを記憶することができる。また、第１実施形態と同様に、記憶部２０は、外部装置から受け付けられた血管造影画像データを記憶してもよい。このようにして、記憶部２０には、被検眼の眼底にＯＣＴ血管造影を複数回適用して取得された複数の血管造影画像データが記憶される。
【０１０１】
制御部１０は、複数の血管造影画像データのうちの第１血管造影画像データ及び第２血管造影画像データを記憶部２０から読み出してデータ処理部４０に送る。レジストレーション処理部４１は、記憶部２０から読み出された第１血管造影画像データと第２血管造影画像データとの間のレジストレーションを実行する。差分処理部４２は、レジストレーションが適用された第１血管造影画像データ及び第２血管造影画像データから差分データを生成する。情報生成処理部４３は、生成された差分データに基づいて医療情報（例えば、血流変化マップ）を生成する。表示制御部１１は、生成された医療情報を表示デバイス２に表示させる。
【０１０２】
〈第３実施形態〉
本実施形態に係る眼科装置は、被検眼の眼底のレーザ治療を適用するための構成を備える。すなわち、本実施形態に係る眼科装置はレーザ治療装置として使用可能である。
【０１０３】
本実施形態に係る眼科装置は、従来のレーザ治療装置と同様の構成を含む。従来のレーザ治療装置は、例えば、特許第５１６６４５４号、特許第５１９２３８３号、特許第５６０３７７４号、特許第５９５６８８３号、特許第６０６７７２４号などに開示されている。これら文献を含む任意の公知技術を本実施形態に適用することが可能である。
【０１０４】
本実施形態に係る眼科装置の構成の例を図５に示す。図１に示す第１実施形態の構成と異なり、図５に示す眼科装置２００には観察系２１０と照射系２２０とが設けられている。観察系２１０及び照射系２２０の動作は、制御部１０によって制御される。
【０１０５】
観察系２１０は、被検眼の眼底の観察画像をユーザに提供する。観察画像は、例えば、スリットランプ顕微鏡などの接眼レンズを介してユーザに提供される眼底の画像、又は、眼底カメラや走査型レーザ検眼鏡（ＳＬＯ）などの眼底撮影装置により取得されてリアルタイムで表示される動画像である。
【０１０６】
観察系２１０は、照明光を眼底に投射する第１光学系と、第１光学系により眼底に投射された照明光の戻り光を接眼レンズに案内する第２光学系と、第１光学系により眼底に投射された照明光の戻り光を撮像装置（ビデオカメラ）に案内する第３光学系とを含んでいてよい。第２光学系により、ユーザは接眼レンズを介して眼底を観察することができる。また、表示制御部１１は、第３光学系のビデオカメラにより得られる動画像を表示デバイス２に動画表示させる。
【０１０７】
照射系２２０は、被検眼の眼底にレーザ光を照射する。照射系２２０は、レーザ光を発生する光源ユニットと、この光源ユニットにより発生されたレーザ光を眼底に導く光学系とを含む。
【０１０８】
照射系２２０の光源ユニットは、レーザ治療が施される部位に照準を合わせるための照準光（エイミング光）を発生する照準光源と、治療用レーザ光を発する治療光源とを含んでいる。光源ユニットの動作は、制御部１０によって制御される。照準光と治療用レーザ光とをまとめて照射光と呼ぶ。
【０１０９】
接眼レンズを介して被検眼を観察しつつ照準を合わせる構成が適用される場合、ユーザによって認識可能な可視光を発する光源（レーザ光源、発光ダイオード等）が照準光源として用いられる。また、被検眼の撮影画像を観察しつつ照準を合わせる構成が適用される場合、撮影画像を取得するための撮像装置が感度を有する波長帯の光を発する光源（レーザ光源、発光ダイオード等）が照準光源として用いられる。
【０１１０】
治療用レーザ光は、その用途に応じて可視レーザ光でも不可視レーザ光でもよい。また、治療光源は、異なる波長のレーザ光を発する単一のレーザ光源又は複数のレーザ光源を含んでいてよい。
【０１１１】
照射系２２０の光学系は、例えば、光源ユニットから光ファイバを介してスリットランプ顕微鏡に伝送された照射光を被検眼に導く。この光学系は光スキャナを含む。光スキャナは、照射光を２次元的に偏向する。光スキャナは、例えば、１つの２次元光スキャナ又は２つの１次元光スキャナを含む。光スキャナは、ガルバノスキャナ、ＭＥＭＳ光スキャナなど、任意の種類の光スキャナを含む。光スキャナの動作は、制御部１０により制御される。
【０１１２】
眼科装置２００は、事前に指定されたパターンに応じて照射光を患者眼Ｅに適用することができる。照射光の投影像をスポットと呼ぶ。照射光には様々な条件（照射条件）がある。例示的な照射条件として、複数のスポットの配列パターン（配列条件）、配列パターンのサイズ（配列サイズ条件）、配列パターンの向き（配列方向条件）、スポットのサイズ（スポットサイズ条件）、スポットの間隔（スポット間隔条件）、照射光の強度（パワー条件）、照射光の波長（波長条件）、照射光が適用される時間の長さ（照射時間条件）などがある。制御部１０は、設定された照射条件にしたがって照射系２２０の動作を制御する。また、表示制御部１１は、設定された照射条件を示す情報を表示デバイス２に表示させることが可能である。
【０１１３】
典型的には、被検眼のレーザ治療を行うための術前プランニングにおいて、治療用レーザ光の照射目標となる眼底の位置（治療目標位置）を表す治療目標位置情報が作成される。治療目標位置情報は、記憶部２０に記憶される。治療目標位置情報が表す位置は、例えば、術前プランニングにおいて参照された血管造影画像データ（第１血管造影画像データ）における座標として定義されている。第１血管造影画像データは記憶部２０に格納されている。
【０１１４】
レジストレーション処理部４１は、第１血管造影画像データと第２血管造影画像データとの間のレジストレーションを行う。差分処理部４２は、第１血管造影画像データと第２血管造影画像データとの間の差分データを生成する。情報生成処理部４３は、生成された差分データに基づいて医療情報を生成する。
【０１１５】
また、例えば、第１血管造影画像データと第２血管造影画像データとの間のレジストレーションの結果により、治療目標位置情報が表す位置を、差分データにおける座標で表現することができる。更に、治療目標位置情報が表す位置と医療情報（マップ）における位置とを対応付けることが可能である。
【０１１６】
表示制御部１１は、治療用レーザ光の照射目標位置を示す照射目標位置画像と、差分処理部４２により生成された差分データに基づき形成された差分画像とを、表示デバイス２に表示させることができる。
【０１１７】
差分画像は、例えば、差分データを表す画像、又は、医療情報を表すマップ画像であってよい。表示制御部１１は、治療目標位置情報と差分データ（又は医療情報）との間の位置の対応関係に基づいて、照射目標位置画像の表示位置と差分画像の表示位置とを決定する。換言すると、照射目標位置画像と差分画像との間の相対的表示位置が決定される。
【０１１８】
眼科装置２００は、照射目標位置画像と差分画像とを観察画像とともにユーザに提供するように構成される。
【０１１９】
スリットランプ顕微鏡などの接眼レンズを介して観察画像がユーザに提供される場合、表示デバイス２から出力された光は、眼底に投射された照明光の戻り光を接眼レンズに案内する第２光学系の光路に入射し、接眼レンズに導かれる。このとき、表示デバイス２から出力された光の光路は、例えばビームスプリッタ（光路結合部材）によって第２光学系の光路に結合される。このような構成により、ユーザは、表示デバイス２に表示された照射目標位置画像及び差分画像と、眼底の観察画像とを、接眼レンズを介して観察することができる。
【０１２０】
眼底撮影装置により取得されたリアルタイム動画像からなる観察画像がユーザに提供される場合、観察画像と照射目標位置画像と差分画像とが表示デバイス２に表示される。この場合、表示デバイス２は、例えば、眼科装置２００の筐体に設けられたディスプレイ、又は、眼科装置２００に接続された周辺機器である。
【０１２１】
［作用・効果］
例示的な実施形態に係る眼科装置の作用及び効果について説明する。
【０１２２】
例示的な実施形態に係る眼科装置（１、１００、２００）は、記憶部（２０）と、差分処理部（４２）とを含む。記憶部は、被検眼の眼底に光コヒーレンストモグラフィ（ＯＣＴ）血管造影を複数回適用して取得された複数の血管造影画像データを記憶する。差分処理部は、記憶部からそれぞれ読み出された第１血管造影画像データと第２血管造影画像データとの間の差分データを生成する。
【０１２３】
このような実施形態によれば、異なる血管造影画像データの差分データから血管の分布や血管の状態や血流などの時系列的な変化を表す新規な情報を得ることが可能となる。
【０１２４】
例示的な実施形態において、眼科装置（１、１００、２００）は、第１血管造影画像データと第２血管造影画像データとの間のレジストレーションを実行するレジストレーション処理部（４１）を更に含んでいてよい。この場合、差分処理部（４２）は、レジストレーションが適用された第１血管造影画像データ及び第２血管造影画像データから差分データを生成することができる。
【０１２５】
このような構成によれば、第１血管造影画像データと第２血管造影画像データとの間の位置合わせがなされていない場合であっても、好適な差分データを生成することが可能になる。
【０１２６】
例示的な実施形態において、眼科装置（１、１００、２００）は、差分処理部（４２）により生成された差分データに基づいて、眼底における血流の変化を表す血流変化情報（例えば、血流マップ）を生成する第１情報生成処理部（情報生成処理部４３）を更に含んでいてよい。
【０１２７】
このような構成によれば、血流の時系列的な変化を表す新規な情報を得ることが可能となる。
【０１２８】
例示的な実施形態において、眼科装置（１、１００、２００）は、差分処理部（４２）により生成された差分データに基づいて、眼底における血管径の変化を表す血管径変化情報（例えば、血管径変化マップ）を生成する第２情報生成処理部（情報生成処理部４３）を更に含んでいてよい。
【０１２９】
このような構成によれば、血管径の時系列的な変化を表す新規な情報を得ることが可能となる。
【０１３０】
例示的な実施形態において、眼科装置（１００）は、眼底にＯＣＴ血管造影を適用してデータを収集するデータ収集部（１１０）と、収集されたデータを処理して血管造影画像データを形成するデータ処理部（１２０）とを更に含んでいてよい。この場合、記憶部（２０）は、データ処理部により形成された血管造影画像データを記憶することができる。
【０１３１】
このような構成によれば、当該眼科装置によって取得された血管造影画像データを用いて差分データを生成したり、各種医療情報を生成したりすることが可能になる。
【０１３２】
例示的な実施形態において、眼科装置（２００）は、観察系（２１０）と、照射系（２２０）と、表示制御部（１１）とを含んでいてよい。観察系は、眼底の観察画像をユーザに提供する。照射系は、眼底に治療用レーザ光を照射する。表示制御部は、治療用レーザ光の照射目標位置を示す照射目標位置画像と、差分処理部により生成された差分データに基づき形成された差分画像とを、表示装置（表示デバイス２）に表示させる。更に、眼科装置（２００）は、照射目標位置画像と差分画像とを眼底の観察画像とともにユーザに提供するように構成されていてよい。
【０１３３】
このような構成によれば、レーザ治療を行うときに、観察画像によって眼底をリアルタイムで観察しつつ、治療用レーザ光の照射目標位置と、血管の分布や血管の状態や血流などの時系列的な変化とを参照することが可能となる。それにより、治療用レーザ光の照射目標位置と、血管の分布や血管の状態や血流などが経時的に変化した位置（及び／又は、変化していない位置）との間の関係を容易に把握し、その結果をレーザ治療に活用することが可能である。
【０１３４】
以上のような例示的な実施形態に係る眼科装置により、次のようなステップを含む例示的な実施形態に係る眼科画像処理方法を実現することができる：被検眼の眼底に光コヒーレンストモグラフィ（ＯＣＴ）血管造影を複数回適用して取得された複数の血管造影画像データを記憶する；複数の血管造影データのうちの第１血管造影画像データと第２血管造影画像データとの間の差分データを生成する。
【０１３５】
このような例示的な実施形態に係る眼科画像処理方法をコンピュータに実行させるプログラムを構成することができる。更に、このようなプログラムを記録したコンピュータ可読な非一時的記録媒体を構成することが可能である。
【０１３６】
以上に説明した構成は、この発明を好適に実施するための一例に過ぎない。よって、この発明の要旨の範囲内における任意の変形（省略、置換、付加等）を適宜に施すことが可能である。
【符号の説明】
【０１３７】
１、１００、２００  眼科装置
２  表示デバイス
１０  制御部
１１  表示制御部
２０  記憶部
３０  データ入出力部
４０  データ処理部
４１  レジストレーション処理部
４２  差分処理部
４３  情報生成処理部
５０  操作部
１１０  データ収集部
１２０  画像形成部
２１０  観察系
２２０  照射系
【図１】
2019058495.tif 000003
【図２】
2019058495.tif 000004
【図３】
2019058495.tif 000005
【図４Ａ】
2019058495.tif 000006
【図４Ｂ】
2019058495.tif 000007
【図５】
2019058495.tif 000008